(57)【要約】  冷蔵庫（１）及び冷蔵庫（１）用の分岐送風装置（１０）を提供し、冷蔵庫（１）用の分岐送風装置（１０）は、給気口と複数の排気口を有するハウジング（１００）と、ハウジング（１００）内に回動可能に設置されて、異なる回動位置で各々の排気口を完全に遮蔽したり、部分的に遮蔽したり、完全に開放させたりすることで、複数の排気口のそれぞれの吹出面積を調整する調整部材（２００）と、給気口に回動可能に装着されるバッフル（３００）と、調整部材（２００）の回転運動をバッフル（３００）に伝達して、バッフル（３００）を運動させて給気口を開閉させるように配置される連動装置（４００）とを備え、さらに、この分岐送風装置（１０）を備える冷蔵庫（１）を提供し、貯蔵室が冷熱量を必要としない場合、分岐送風装置（１０）の給気口を完全に閉塞させることによって、貯蔵室へ冷熱量を提供する気流通路を遮断し、さらに貯蔵室内の冷却し過ぎを防止するとともに、エネルギー消費量を低下させ、且つ連動装置（４００）が使用されることで、分岐送風装置（１０）をより簡便且つ正確に制御できる。
2019509456.tif 000002
【特許請求の範囲】
【請求項１】
冷蔵庫用の分岐送風装置であって、
給気口と複数の排気口とを有するハウジングと、
前記ハウジング内に回動可能に設置されて、異なる回動位置で前記複数の排気口を完全に遮蔽したり、部分的に遮蔽したり、完全に開放させたりすることで、前記複数の排気口のそれぞれの吹出面積を調整する調整部材と、
前記給気口に回動可能に装着されるバッフルと、
前記調整部材の回転運動を前記バッフルに伝達して、当該バッフルを可動させて前記給気口を開閉させるように配置される連動装置と、
を備える冷蔵庫用の分岐送風装置。
【請求項２】
前記調整部材は、回転盤を含み、当該回転盤の軸周りに回動可能に前記ハウジング内に設置される、
請求項１に記載の分岐送風装置。
【請求項３】
前記連動装置は、伝動ロッドと前記バッフルに装着される歯車とを含み、
前記伝動ロッドは、前記歯車と噛み合う歯を有し、前記回転盤の駆動によって前記伝動ロッドの長手方向に沿って移動して、前記バッフルを回転させるように配置される、
請求項２に記載の分岐送風装置。
【請求項４】
前記回転盤の一方の面にスライド溝が形成されており、
前記伝動ロッドは、前記回転盤の径方向に沿って延伸し、当該伝動ロッドの一端は前記スライド溝に挿入される突起を有する、
請求項３に記載の分岐送風装置。
【請求項５】
前記スライド溝は、
前記回転盤と同心になる円弧状を呈している第１スライド溝部と、
前記第１スライド溝部の一端から当該第１スライド溝部の他端の径方向の内側まで延伸している第２スライド溝部と、を有する、
請求項４に記載の分岐送風装置。
【請求項６】
前記ハウジングは、
ベースと、
前記ベースから当該ベースの片面側へ延伸するとともに前記回転盤と同軸に設置され、前記複数の排気口が形成された周壁と、を含み、
前記調整部材は、前記回転盤の周方向に間隔を空けて設置された１つ又は複数の遮蔽板を更に含み、
前記遮蔽板は、それぞれ前記回転盤の他方の面から延伸し、且つ１つ又は複数の遮蔽板は、異なる回動位置で前記複数の排気口を完全に遮蔽したり、部分的に遮蔽したり、完全に開放させたりするように配置される、
請求項４に記載の分岐送風装置。
【請求項７】
前記ベース上の前記周壁は円弧状であり、
前記ハウジングは、前記ベースに設置され、前記周壁の両端からそれぞれ円周の外側に延伸する２つのダクト壁を含み、当該２つのダクト壁の前記周壁から離れた端部により前記給気口が形成される、
請求項６に記載の分岐送風装置。
【請求項８】
前記回転盤は、前記周壁の前記ベースから離れた端部に設置される、
請求項７に記載の分岐送風装置。
【請求項９】
前記排気口は、３つであり、前記ベースの周方向に沿って間隔を空けて順次設置され、
前記遮蔽板は、２つであり、それぞれ第１遮蔽板と第２遮蔽板であり、且つ
前記第１遮蔽板は、１つの前記排気口を完全に遮蔽できるように配置され、
前記第２遮蔽板は、２つの前記排気口を完全に遮蔽できるように配置され、
前記第１遮蔽板と前記第２遮蔽板との間の間隔が、１つの前記排気口を完全に開放できるように配置される、
請求項８に記載の分岐送風装置。
【請求項１０】
冷蔵庫であって、
冷気入口と複数の冷気出口を含み、前記複数の冷気出口はそれぞれ前記冷蔵庫の複数の貯蔵室に連通し、或いは前記冷蔵庫の１つの貯蔵室の室壁における異なる位置の複数の連通口を介して該貯蔵室に連通しているダクトユニットと、
前記ダクトユニット内に設置され、前記ダクトユニットの前記冷気入口に連通する給気口と、前記ダクトユニットの複数の冷気出口に連通する複数の排気口と、を有する請求項１乃至９のいずれかに記載の分岐送風装置と、
を備える冷蔵庫。
【発明の詳細な説明】
【技術分野】
【０００１】
本発明は冷蔵庫分野に関し、特に冷蔵庫及び冷蔵庫用の分岐送風装置に関する。
【背景技術】
【０００２】
一般的に、空冷型冷蔵庫は、内蔵したエバポレータで冷風を発生させ、冷風がダクトにより循環されて冷蔵庫の各貯蔵室に流れることで冷却するものである。空冷型冷蔵庫に対して、食物の鮮度保持性能は、一定の程度に貯蔵室内の気流循環の合理性により左右される。冷風がダクトを介してランダムに流れると、各貯蔵室に入る風量の過不足を引き起こしやすく、貯蔵室内の温度分布が不均一になり、冷蔵庫の運転効率も低下する恐れがある。従って、各貯蔵室に入る冷風の流動方向の分配及び流量の制御を行う必要がある。
【０００３】
同様に、貯蔵領域を最適化させるために、各貯蔵室がラックや引き出しなどの載置装置により複数のサブ貯蔵空間に分けられ、物品の貯蔵量に応じて貯蔵空間ごとに必要な冷熱量が異なる。従って、冷風がランダムに貯蔵室のある位置から貯蔵室に入ると、一部の貯蔵空間は冷却し過ぎになるが、別の貯蔵空間は冷熱量が不足になるという問題を発生させる。
【０００４】
このため、従来技術では、冷蔵庫本体の背面のダクトに、給気口が冷気入口に連通し、複数の排気口がそれぞれ各貯蔵室の複数の冷気出口に連通している分岐送風装置が設置されるとともに、ダクトに冷気入口と冷気出口の開閉を制御するための制御装置（例えば、電動ドア）が設置される。しかしながら、このような分岐送風装置は、閉塞したとき、角度の要因で電動ドアが完全に閉じられず、貯蔵室の冷却し過ぎを引き起こし、且つ冷蔵庫のエネルギー消費量を増加させ、電動ドアを使用するため、分岐送風装置の構造が複雑になるとともに、冷蔵庫の消費電力を増加させる。
【発明の概要】
【発明が解決しようとする課題】
【０００５】
本発明は、上記問題に鑑み、上記問題又は少なくとも上記問題の一部を解決するための冷蔵庫及び冷蔵庫用の分岐送風装置を提供する。
【０００６】
本発明の１つの目的は、貯蔵室に冷熱量を必要としないとき、冷熱量を提供するための気流通路を遮断して、貯蔵室内の冷却し過ぎを防止することにある。
【０００７】
本発明の別の目的は、分岐送風装置の構造及び制御方式を簡素化させることにある。
【課題を解決するための手段】
【０００８】
本発明は、
給気口と複数の排気口とを有するハウジングと、
ハウジング内に回動可能に設置されて、異なる回動位置で複数の排気口を完全に遮蔽したり、部分的に遮蔽したり、完全に開放させたりすることで、複数の排気口のそれぞれの吹出面積を調整する調整部材と、
給気口に回動可能に装着されるバッフルと、
調整部材の回転運動をバッフルに伝達して、バッフルを稼働させて給気口を開閉させるように配置される連動装置と、
を備える冷蔵庫用の分岐送風装置を提供する。
【０００９】
好ましくは、調整部材は、回転盤を含み、且つ回転盤の軸周りに回動可能にハウジング内に設置される。
【００１０】
好ましくは、連動装置は、伝動ロッドとバッフルに装着される歯車とを含み、
伝動ロッドは、歯車と噛み合う歯を有し、且つ回転盤の駆動によって伝動ロッドの長手方向に沿って移動して、バッフルを回動させるように配置される。
【００１１】
好ましくは、回転盤の一方の面にスライド溝が形成されており、
伝動ロッドは、回転盤の径方向に沿って延伸し、且つ伝動ロッドの一端がスライド溝に挿入される突起を有する。
【００１２】
好ましくは、スライド溝は、回転盤と同心になる円弧状を呈している第１スライド溝部と、第１スライド溝部の一端から第１スライド溝部の他端の径方向の内側まで延伸している第２スライド溝部とを有する。
【００１３】
好ましくは、ハウジングは、ベースと、ベースからベースの一方の面側へ延伸するとともに回転盤と同軸に設置され、複数の排気口が形成された周壁とを含む。
そして、調整部材は、回転盤の周方向に間隔を空けて設置された１つ又は複数の遮蔽板を更に含み、遮蔽板は、それぞれ回転盤の他方の面から延伸し、且つ１つ又は複数の遮蔽板は、異なる回動位置で各々の排気口を完全に遮蔽したり、部分的に遮蔽したり、完全に開放させたりするように配置される。
【００１４】
好ましくは、ベース上の周壁は円弧状であり、ハウジングは、ベースに設置され、且つ周壁の両端からそれぞれベースの円周から外側に延伸して、周壁から離れた端部により給気口を規定する２つのダクト壁を更に含む。
【００１５】
好ましくは、回転盤は、周壁のベースから離れた端部に設置される。
【００１６】
好ましくは、排気口は、３つであり、ベースの周方向に沿って間隔を空けて順次設置される。遮蔽板は、２つであり、それぞれ第１遮蔽板と第２遮蔽板であり、且つ、第１遮蔽板は、１つの排気口を完全に遮蔽できるように配置され、第２遮蔽板は、２つの排気口を完全に遮蔽できるように配置され、第１遮蔽板と第２遮蔽板の間の間隔は、１つの排気口を完全に開放できるように配置される。
【００１７】
特に、本発明はさらに、
冷気入口と複数の冷気出口を含み、複数の冷気出口がそれぞれ冷蔵庫の複数の貯蔵室に連通し、或いは冷蔵庫の１つの貯蔵室の室壁における、異なる位置の複数の連通口を介して該貯蔵室に連通しているダクトユニットと、
ダクトユニット内に設置され、ダクトユニットの冷気入口に連通する給気口と、ダクトユニットの複数の冷気出口に連通する複数の排気口と、を有する分岐送風装置と、
を備える冷蔵庫を提供する。
【発明の効果】
【００１８】
本発明に係る分岐送風装置及び冷蔵庫は、給気口にバッフルが回動可能に取り付けられるため、貯蔵室に冷熱量を必要としないとき、分岐送風装置の給気口を完全に閉塞させて、貯蔵室へ冷熱量を供給する気流通路を遮断する。従って、貯蔵室内の冷却し過ぎによる使用への影響を防止し、かつエネルギー消費量を低下させる。特に、調整部材とバッフルの間に取り付けられている連動装置を介して、調整部材とバッフルを連動し回転させて、給気口の開閉を制御することができる。具体的には、調整部材の回動によって排気口の開閉のみでなく、給気口の開閉を制御し、それにより分岐送風装置をより簡便且つ正確に制御できる。
【００１９】
さらに、本発明に係る分岐送風装置の連動装置は、歯を有する伝動ロッドとバッフルに装着される歯車とを有するため、伝動ロッドが回転盤の駆動でバッフルを駆動して回転させ、給気口を開閉させる。このような駆動方式は、分岐送風装置の構造をコンパクトにし、簡素化させ、普及する価値がある。
【００２０】
さらに、本発明に係る分岐送風装置の回転盤は、そのスライド溝と伝動ロッドにおける突起とを介して伝動ロッドを駆動させることにより、カム機構の原理を活用して、駆動方式を簡単、簡便且つ正確にし、さらに分岐送風装置の構造をコンパクトにして簡素化させる。
【００２１】
以下、図面を参照しながら、本発明の実施例について詳細に説明するが、それにより、当業者であれば、本発明の上記目的及び他の目的、利点及び特徴をより理解できる。
【図面の簡単な説明】
【００２２】
以下、図面を参照しながら、限定的ではなく例示的に、本発明の一部の実施例を詳細に説明する。図面における同一符号は、同じ又は類似する部材又は部分を示す。当業者であれば、これらの図面が実際の比率に応じて作成されているとは限らないことを理解すべきである。
【図１】本発明の一実施例による分岐送風装置の構造模式図である。
【図２】図１に示される分岐送風装置の分解模式図である。
【図３】図１に示される分岐送風装置の第１運動状態の模式図である。
【図４】図１に示される分岐送風装置の第２運動状態の模式図である。
【図５】図１に示される分岐送風装置の第３運動状態の模式図である。
【図６】本発明の一実施例による冷蔵庫の構造模式図である。
【図７】図６の冷蔵庫の部分構造模式図である。
【図８】図２に示される分岐送風装置を別の角度から見た分解模式図である。
【発明を実施するための形態】
【００２３】
図１は、本発明の一実施例による分岐送風装置１０の構造模式図であり、図２は図１に示される分岐送風装置１０の分解模式図であり、図８は図２に示される分岐送風装置１０を別の角度から見た分解模式図である。図１、図２及び図８に示されるように、本実施例は、ハウジング１００、調整部材２００、バッフル３００及び連動装置４００を備える冷蔵庫１用の分岐送風装置１０を提供する。
【００２４】
ハウジング１００は、給気口と複数の排気口を有する。それにより、エバポレータから発生される冷風が、給気口を介して該分岐送風装置１０のハウジング１００に進入することができ、かつ複数の排気口から吹き出されることもでき、最後に冷蔵庫１の複数の貯蔵室に流れ、或いは１つの貯蔵室の複数の位置から該貯蔵室に流入する。
【００２５】
調整部材２００は、ハウジング１００内に回動可能に設置されて、異なる回転位置で各々の排気口を完全に遮蔽したり、部分的に遮蔽したり、完全に開放させたりする。これにより、複数の排気口のそれぞれの吹出面積を調整し、さらに各貯蔵室内に入った冷風又は１つの貯蔵室の各位置での冷風を正確に分配して、冷蔵庫１の冷却性能を向上させる。
【００２６】
バッフル３００は、給気口に回動可能に装着され、分岐送風装置１０を閉じる必要があるとき、当該給気口を完全に閉塞させる。それにより、冷気流が分岐送風装置１０を介して貯蔵室に進入することを防止し、さらに貯蔵室内の冷却し過ぎによる使用への影響を防止し、且つエネルギー消費量を低下させることができる。
【００２７】
連動装置４００は、調整部材２００の回転運動をバッフル３００に伝達して、バッフル３００を駆動して給気口を開閉させるように配置される。それによって、調整部材２００の回転によって排気口の開閉を制御するだけではなく、給気口の開閉も制御する。このように、給気口と排気口の制御を調整するだけではなく、分岐送風装置１０の制御を簡便且つ正確にする。
【００２８】
本発明のいくつかの実施例において、調整部材２００は回転盤２１０を含む。具体的には、回転盤２１０は円形であってもよく、調整部材２００は回転盤２１０の軸線周りに回動可能にハウジング１００内に設置される。さらに、回転盤２１０の外縁には、更に歯が設置され、且つハウジング１００にモータ５００が取り付けられる。モータ５００は、その出力軸に装着される歯車により回転盤２１０の外縁の歯と噛み合うことで、回転盤２１０を回転させる。
【００２９】
本発明のいくつかの実施例において、連動装置４００は、伝動ロッド４１０と、バッフル３００に装着される歯車４２０と、を含む。具体的には、伝動ロッド４１０は、バッフル３００における歯車４２０と噛み合う歯を有し、回転盤２１０の駆動で伝動ロッド４１０の長手方向に沿って移動することで、バッフル３００を駆動して回転させるように配置される。いくつかの代替実施例においては、連動装置４００は、２つの連結ロッドを含み、一方の連結ロッドは、一端がバッフル３００の当該バッフル３００の回転軸から離れた一側に枢着されて、他端が他方の連結ロッドの一端に枢着され、他方の連結ロッドの他端は、回転盤２１０により駆動されて連結ロッドの長手方向に沿って移動することでバッフル３００を回転させるように配置される。本実施形態では、歯車構造が不要で、構成が簡単である。
【００３０】
本発明のいくつかの実施例において、回転盤２１０の一方の面にスライド溝４３０が設けられる。伝動ロッド４１０は、回転盤２１０の径方向に沿って延伸し、且つその一端にはスライド溝４３０に挿入される突起４１１が設けられる。これにより、回転盤２１０が回転するとき、突起４１１は、スライド溝４３０内で摺動するとともに、スライド溝４３０の作用で伝動ロッド４１０を当該伝動ロッドの長手方向に沿って移動させることができる。このように伝動ロッド４１０を駆動して可動させることで、バッフル３００を回転させる。
【００３１】
本発明の実施例のいくつかの実施形態において、スライド溝４３０は、第１スライド溝部４３１と、それに接続された第２スライド溝部４３２とを含む。具体的には、第１スライド溝部４３１は、スライド溝４３０の本体部分として、回転盤２１０と同心になる円弧状を呈しており、第２スライド溝部４３２は、第１スライド溝部４３１の一端から当該第１スライド溝部４３１の他端の径方向の内側まで延伸している。かかる構成により、調整部材２００が各々の排気口の吹出面積を調整するとき、第１スライド溝部４３１の特性により、突起４１１が移動しないことで給気口を閉塞することなく、分岐送風装置１０の正常な動作が確保される。また、給気口を閉塞する必要があるときは、第２スライド溝部４３２の特性を利用して、突起４１１で伝動ロッド４１０を引っ張り、これによりバッフル３００を連動させて給気口を閉塞させる。好ましくは、第１スライド溝部４３１の両端と回転盤２１０の円心とをそれぞれ結ぶ２本の線の夾角が３３０°であり、第２スライド溝部４３２の両端と回転盤２１０の円心とをそれぞれ結ぶ２本の線の夾角が３０°である。それによって、突起４１１のスライド溝４３０での摺動過程が定量化される。さらに、第２スライド溝部４３２は、迅速に給気口を閉塞させることができ、且つ連動装置４００の破損を引き起こしにくい。
【００３２】
いくつかの代替実施形態において、スライド溝４３０は、第３スライド溝部と第４スライド溝部を含む。第３スライド溝部は、スライド溝の本体部分として、回転盤２１０に同心となる円弧状を呈しており、第４スライド溝部は、第３スライド溝部の一端から回転盤２１０の円心に近づく方向へ延伸して、その後、回転盤２１０の円心から離れた方向へ第３スライド溝部の他端まで延伸する。これにより、溝が連続した状態となり、分岐送風装置１０が給気口を閉塞した後に排気口を開く必要がある場合、モータ５００の反転が不要であるので、操作しやすく、且つ構造が簡素化され、加工しやすくなる。
【００３３】
本発明のいくつかの実施例において、ハウジング１００は、ベース１１０、周壁１２０及びカバー１４０、２つのダクト壁１３０を含む。具体的には、周壁１２０は、ベース１１０の一部の縁から当該ベース１１０の一方の面側へ延伸するとともに、回転盤２１０と同軸に設置される。そして、周壁１２０には、複数の排気口が形成される。また、周壁１２０のベース１１０上への投影形状は、好ましくは、円弧状である。２つのダクト壁１３０は、ベース１１０に設置され、それぞれ周壁１２０の両端から周方向の外側に延伸する。それにより、２つのダクト壁１３０は、分岐送風装置１０の吸気ダクトを形成し、且つ２つのダクト壁１３０の周壁１２０から離れた端部は給気口を規定する。２つのダクト壁１３０は、伝動ロッド４１０の長手方向に沿って、それぞれ周壁１２０の両端からベース１１０の円周方向の外側に延伸する。そして、回転盤２１０は、周壁１２０のベース１１０から離れた端部に設置される。カバー１４０は、周壁１２０とダクト壁１３０とのベース１１０から離れた端部に装着され、且つ周壁１２０及びダクト壁１３０に係止される。
【００３４】
該実施例では、調整部材２００は、回転盤２１０の周方向に間隔を空けて設置される１つ又は複数の遮蔽板２２０を更に含む。遮蔽板２２０は、それぞれ回転盤２１０の他方の面（すなわち、スライド溝４３０が位置する面とは反対側の面）から延伸する。そして、１つ又は複数の遮蔽板２２０は、異なる回動位置で各々の排気口を完全に遮蔽したり、部分的に遮蔽したり、完全に開放させたりするように配置される。このように、排気口の吹出面積を制御可能に変えて、各貯蔵室に入る冷風の流動方向の分配と流量の制御を実現することができる。
【００３５】
例えば、本実施例では、排気口は、３つであり、ベース１１０の周方向に沿って間隔を空けて周壁１２０に順次設置され、それぞれ第１排気口１２１、第２排気口１２２及び第３排気口１２３である。遮蔽板２２０は、２つであり、且つ２つの遮蔽板２２０は、それぞれ第１遮蔽板２２１と第２遮蔽板２２２であり、第１遮蔽板２２１は、１つの排気口を完全に遮蔽できるように配置され、第２遮蔽板２２２は、２つの排気口を完全に遮蔽できるように配置され、第１遮蔽板２２１と第２遮蔽板２２２の間の間隔は、１つの排気口を完全に開放できるように配置される。
【００３６】
第１遮蔽板２２１と第２遮蔽板２２２が回転して、３つの排気口のいずれも遮蔽しないとき、第１排気口１２１、第２排気口１２２及び第３排気口１２３のいずれも開状態にすることができる。第２遮蔽板２２２が第２排気口１２２と第３排気口１２３を完全に遮蔽するとき、第１排気口１２１を開放状態にすることができる。第１遮蔽板２２１が第３排気口１２３を完全に遮蔽して、第２遮蔽板２２２が第１排気口１２１を完全に遮蔽するとき、２つの遮蔽板２２０の間の間隔は、第２排気口１２２を完全開放状態にすることができる。第２遮蔽板２２２が第１排気口１２１と第２排気口１２２を完全に遮蔽するとき、２つの遮蔽板２２０の間の間隔は、第３排気口１２３を完全開放状態にすることができる。
【００３７】
第２遮蔽板２２２が第３排気口１２３のみを完全に遮蔽するとき、第１排気口１２１と第２排気口１２２は完全開放状態になる。第１遮蔽板２２１が第１排気口１２１を完全に遮蔽するとき、第２排気口１２２と第３排気口１２３は完全開放状態になる。第１遮蔽板２２１が第２排気口１２２を完全に遮蔽するとき、第３排気口１２３は完全開放状態になり、２つの遮蔽板２２０の間の間隔は、第１排気口１２１を完全開放状態にすることができる。
【００３８】
勿論、第１遮蔽板２２１と第２遮蔽板２２２は、第１排気口１２１の半分を遮蔽し、第２排気口１２２と第３排気口１２３が完全開放状態になる回動位置、例えば、第１遮蔽板２２１が第１排気口１２１の第２排気口１２２から離れた半分のみを遮蔽する位置まで回動することができる。第１遮蔽板２２１と第２遮蔽板２２２は、第１排気口１２１を完全に遮蔽し、第２排気口１２２の半分を遮蔽し、第３排気口１２３を完全開放状態にする回動位置、例えば、第２遮蔽板２２２が第１排気口１２１を完全に遮蔽し、且つ第２排気口１２２の第３排気口１２３から離れた半分を遮蔽する位置まで回転することができる。
【００３９】
図３乃至図５は、本発明のいくつかの実施例による冷蔵庫１用の分岐送風装置の運動状態の模式図である。図３に示されるように、回転盤２１０が回動し且つ伝動ロッド４１０の突起４１１が第１スライド溝部４３１において摺動するとき、回転盤２１０は、遮蔽板２２０を駆動して遮蔽板２２０で各々の排気口の吹出面積を調整し、このとき、バッフル３００は開状態を保持する。図４に示されるように、回転盤２１０が回動し且つ伝動ロッド４１０の突起４１１が第２スライド溝部４３２で摺動するとき、分岐送風装置１０は貯蔵室内へ冷熱量を提供する必要がなく、突起４１１は、伝動ロッド４１０を駆動してその長手方向に移動させ、給気口を閉塞するまでバッフル３００を連動して回転させる。図５に示されるように、回転盤２１０は回動を停止し且つ伝動ロッド４１０の突起４１１が第２スライド溝部４３２の末端における止め位置に位置するとき、分岐送風装置１０は、風量分配作動を停止し、且つ伝動ロッド４１０は、バッフル３００を連動させて給気口を完全に閉塞し、冷風が給気口から流入して貯蔵室の冷却し過ぎを引き起こすことを防止する。
【００４０】
図６は、本発明の一実施例による冷蔵庫１の構造模式図であり、図７は、図６の冷蔵庫１の部分構造模式図である。図６及び図７に示されるように、本発明の実施例はさらに、冷蔵庫１を提供し、ダクトユニット２０と分岐送風装置１０を備える。具体的には、ダクトユニット２０は、冷気入口と、複数の冷気出口とを含む。複数の冷気出口は、それぞれ冷蔵庫１の複数の貯蔵室に連通し、或いは、冷蔵庫１の１つの貯蔵室の室壁における、異なる位置の複数の連通口を介して該貯蔵室に連通している。分岐送風装置１０は、ダクトユニット２０内に設置され、且つ分岐送風装置１０の給気口は、冷気入口に連通し、分岐送風装置１０の複数の排気口はそれぞれダクトユニット２０の複数の冷気出口に連通している。
【００４１】
該実施例の冷蔵庫１において、ダクトユニット２０が同一貯蔵室の複数の位置に冷風を送風するとき、該貯蔵室の各位置での冷熱量が十分であるか否かに応じて、冷風の対応ダクトからの該位置への流入を制御することによって、冷風が合理的に貯蔵室の各位置に分配されて、冷蔵庫１の鮮度保持性能と運転効率を高める。該分岐送風装置１０は、風向、風量を調整して、該貯蔵室内において冷風を必要とする位置に対して、対応する冷気出口を開き、冷風を必要としなくなると閉塞させ、それにより、冷蔵庫１内の温度を一定に保持し、冷蔵庫１内の食物のために最適な貯蔵環境を作り、食物の栄養素の流失を減少させ、且つ冷蔵庫１の消費電力を減少させて、エネルギーを節約する。
【００４２】
なお、本明細書において本発明の複数の例示的な実施例を説明したが、当業者であれば、本発明の精神と範囲を逸脱することなく、本発明の開示内容に基づいて、本発明の原理と合致する多くの他の変形又は修正を決定したり導出したりすることができる。このため、本発明の範囲はこれらほかの変形又は修正を含むように理解すべきである。
【図１】
2019509456.tif 000003
【図２】
2019509456.tif 000004
【図３】
2019509456.tif 000005
【図４】
2019509456.tif 000006
【図５】
2019509456.tif 000007
【図６】
2019509456.tif 000008
【図７】
2019509456.tif 000009
【図８】
2019509456.tif 000010
【国際調査報告】
2019509456.tif 000011
2019509456.tif 000012
2019509456.tif 000013
2019509456.tif 000014
2019509456.tif 000015
2019509456.tif 000016